(57)【要約】【課題】記憶している所定情報について高い安全性が得られるポータブル記憶装置２及びインターネットファクシミリ装置１を提供することを目的とする。【解決手段】インターネットファクシミリ装置１に接続されたポータブル記憶装置２に所定情報を記憶する際に、当該インターネットファクシミリ装置１の識別情報とユーザの指紋情報とを所定情報に対応付けて記憶させる。インターネットファクシミリ装置１によってポータブル記憶装置２にアクセスする際には、インターネットファクシミリ装置１の識別情報とユーザの指紋情報とをポータブル記憶装置２に送信し、送信した識別情報と指紋情報とに対応つけられている所定情報についてのみ、インターネットファクシミリ装置１によるアクセスを許可する。【選択図】図４
2007241953.tif 000002
【特許請求の範囲】
【請求項１】
電子機器装置に着脱自在に接続される可搬型記憶装置であって、
前記電子機器装置によって使用される所定情報、当該電子機器装置の識別情報、及び、生体情報を相互に対応付けて記憶する情報記憶手段と、
自装置が接続された電子機器装置から識別情報を取得する第１識別情報取得手段と、
外部から生体情報を取得する第１生体情報取得手段と、
前記第１識別情報取得手段によって取得された識別情報と同一の識別情報、及び、前記第１生体情報取得手段によって取得された生体情報と同一の個体を示す生体情報に対応付けられた前記所定情報へのアクセスを、自装置が接続された電子機器装置に対して許可する許可手段とを備えることを特徴とする可搬型記憶装置。
【請求項２】
自装置が接続された電子機器装置から識別情報を取得する第２識別情報取得手段と、
外部から生体情報を取得する第２生体情報取得手段と、
前記第２識別情報取得手段によって識別情報が取得された電子機器装置から所定情報を取得する情報取得手段とを備え、
前記情報記憶手段は、前記情報取得手段によって取得された所定情報、前記第２識別情報取得手段によって取得された識別情報、及び、前記第２生体情報取得手段によって取得された生体情報を相互に対応付けて記憶することを特徴とする請求項１に記載の可搬型記憶装置。
【請求項３】
前記生体情報は、指紋情報であることを特徴とする請求項１又は２に記載の可搬型記憶装置。
【請求項４】
他の装置によってアクセスが要求された際に、当該他の装置の識別情報に対応付けられ、かつ、外部から取得した生体情報と同一の個体を示す生体情報に対応付けられて情報記憶手段に記憶された所定情報について、前記他の装置によるアクセスを許可する可搬型記憶装置が着脱自在に接続される電子機器装置であって、
前記接続された可搬型記憶装置に対して、前記情報記憶手段へのアクセスを要求するアクセス要求手段と、
前記接続された可搬型記憶装置に、自装置の識別情報を送信する第１識別情報送信手段とを備えることを特徴とする電子機器装置。
【請求項５】
前記接続された可搬型記憶装置に、前記情報記憶手段に記憶される所定情報を送信する所定情報送信手段と、
前記接続された可搬型記憶装置に、前記所定情報送信手段によって送信される所定情報と対応付けて前記情報記憶手段に記憶される自装置の識別情報を送信する第２識別情報送信手段とを備えることを特徴とする請求項４に記載の電子機器装置。
【発明の詳細な説明】
【技術分野】
【０００１】
本発明は、可搬型記憶装置及び電子機器装置に関し、詳しくは、生体情報を使用してユーザの認証を行って情報へのアクセスを許可する電子機器装置及び可搬型記憶装置に関するものである。
【背景技術】
【０００２】
利用希望者の指紋情報を取得し、当該取得した指紋情報と、あらかじめ登録している利用を許可するユーザの指紋情報とを照合し、取得した指紋情報が示す指紋パターンと登録している指紋情報が示す指紋パターンとが一致して利用希望者が認証された場合に、利用希望者による記憶装置へのアクセスを許可する可搬型記憶装置が発明されている（例えば、特許文献１参照。）。
【特許文献１】特開２００４−１１０３８２号公報
【発明の開示】
【発明が解決しようとする課題】
【０００３】
特許文献１に記載されている可搬型記憶装置では、認証された利用希望者は、当該可搬型記憶装置に記憶されているすべての情報に対し、情報の所有者（作成者）や情報へのアクセスに使用する電子機器装置の区別なく、一様にアクセスすることができる。つまり、利用者が利用の目的としない他人の情報や、可搬記憶装置へのアクセスに使用する電子機器装置による処理の対象とならない情報についてまでもアクセス可能となる。そのため、可搬記憶装置に記憶された、本来利用の目的ではない情報や処理の対象とならない情報が不用意にアクセスされ、誤って変更されたり削除されたりする可能性があり、情報の安全性に欠けるという問題があった。
【０００４】
本発明は、かかる課題に鑑みてなされたものであり、記憶している情報について高い安全性が得られる可搬型記憶装置及び電子機器装置を提供することを目的とする。
【課題を解決するための手段】
【０００５】
上記課題を解決するために、請求項１の可搬型記憶装置は、電子機器装置に着脱自在に接続される可搬型記憶装置であって、前記電子機器装置によって使用される所定情報、当該電子機器装置の識別情報、及び、生体情報を相互に対応付けて記憶する情報記憶手段と、自装置が接続された電子機器装置から識別情報を取得する第１識別情報取得手段と、外部から生体情報を取得する第１生体情報取得手段と、前記第１識別情報取得手段によって取得された識別情報と同一の識別情報、及び、前記第１生体情報取得手段によって取得された生体情報と同一の個体を示す生体情報に対応付けられた前記所定情報へのアクセスを、自装置が接続された電子機器装置に対して許可する許可手段とを備えることを特徴としている。
【０００６】
この構成によれば、情報記憶手段により、電子機器装置によって使用される所定情報、当該電子機器装置の識別情報、及び、生体情報が相互に対応付けて記憶される。そして、第１識別情報取得手段により、自装置が接続された電子機器装置から識別情報が取得され、第１生体情報取得手段により、外部から生体情報が取得される。さらに、許可手段により、第１識別情報取得手段によって取得された識別情報と同一の識別情報、及び、第１生体情報取得手段によって取得された生体情報と同一の個体を示す生体情報に対応付けられた所定情報へのアクセスが、自装置が接続された電子機器装置に対して許可される。
【０００７】
このように、アクセスに使用される電子機器装置の識別情報に対応付けられ、かつ、外部から取得したユーザの生体情報と同一の個体を示す生体情報に対応付けられた所定情報についてのみアクセスが許可される。したがって、アクセスするユーザの生体情報と対応付けられていない、例えば、当該ユーザによって作成されたり所有されていない所定情報や、アクセスする電子機器装置の識別情報と対応付けられていない、例えば、当該電子機器装置による処理の対象とならない所定情報については、当該ユーザにより当該電子機器装置を使用してアクセスすることができないので、他人の所定情報や処理の対象とならない所定情報がアクセスされて、誤って変更されたり削除されたりするおそれがなく、所定情報の安全性を高めることができる。
【０００８】
請求項２に記載の可搬型記憶装置は、請求項１に記載の可搬型記憶装置において、自装置が接続された電子機器装置から識別情報を取得する第２識別情報取得手段と、外部から生体情報を取得する第２生体情報取得手段と、前記第２識別情報取得手段によって識別情報が取得された電子機器装置から所定情報を取得する情報取得手段とを備え、前記情報記憶手段は、前記情報取得手段によって取得された所定情報、前記第２識別情報取得手段によって取得された識別情報、及び、前記第２生体情報取得手段によって取得された生体情報を相互に対応付けて記憶することを特徴としている。
【０００９】
この構成によれば、第２識別情報取得手段により、自装置が接続された電子機器装置から識別情報が取得され、第２生体情報取得手段により、外部から生体情報が取得され、さらに、情報取得手段により、第２識別情報取得手段によって識別情報が取得された電子機器装置から所定情報が取得される。そして、情報記憶手段により、情報取得手段によって取得された所定情報、第２識別情報取得手段によって取得された識別情報、及び、第２生体情報取得手段によって取得された生体情報が相互に対応付けて記憶される。
【００１０】
このように、自装置が接続された電子機器装置から取得された識別情報、外部から取得された生体情報、及び、識別情報が取得された電子機器装置から取得された所定情報を情報記憶手段に記憶することができる。したがって、電子機器装置から取得された所定情報は、外部から生体情報が取得されたユーザが、当該電子機器装置を使用してアクセスする場合以外にはアクセスできないので、他のユーザや他の電子機器装置によってアクセスされて誤って変更されたり削除されるおそれがなく、所定情報の安全性を高めることができる。
【００１１】
請求項３に記載の可搬型記憶装置は、請求項１又は２に記載の可搬型記憶装置において、前記生体情報は、指紋情報であることを特徴としている。この構成によれば、生体情報は指紋情報であるので、２つの生体情報が同一の個体を示すか否かを容易に判定できるので、第１生体情報取得手段によって取得された生体情報と同一の個体を示す生体情報に対応付けられた所定情報を容易に特定することができる。また、２つの生体情報が同一の個体を示すか否かの判定について高い精度が得られる。
【００１２】
上記目的を達成するために、請求項４に記載の電子機器装置は、他の装置によってアクセスが要求された際に、当該他の装置の識別情報に対応付けられ、かつ、外部から取得した生体情報と同一の個体を示す生体情報に対応付けられて情報記憶手段に記憶された所定情報について、前記他の装置によるアクセスを許可する可搬型記憶装置が着脱自在に接続される電子機器装置であって、前記接続された可搬型記憶装置に対して、前記情報記憶手段へのアクセスを要求するアクセス要求手段と、前記接続された可搬型記憶装置に、自装置の識別情報を送信する第１識別情報送信手段とを備えることを特徴としている。
【００１３】
この構成によれば、アクセス要求手段により、自装置に接続された可搬型記憶装置に対して、情報記憶手段へのアクセスが要求され、第１識別情報送信手段により、自装置に接続された可搬型記憶装置に、自装置の識別情報が送信される。
【００１４】
このように、他の装置によってアクセスが要求された際に、当該他の装置の識別情報に対応付けられ、かつ、外部から取得した生体情報と同一の個体を示す生体情報に対応付けられて情報記憶手段に記憶された所定情報について、他の装置によるアクセスを許可する可搬型記憶装置に対して、アクセス要求手段によって情報記憶手段へのアクセスが要求されるとともに、第１識別情報送信手段によって自装置の識別情報が送信されるので、自装置の識別情報に対応付けられ所定情報についてのみアクセスすることができる。したがって、アクセスする自装置の識別情報と対応付けられていない、例えば、自装置による処理の対象とならない所定情報については、自装置を使用してアクセスすることができないので、処理の対象とならない所定情報にアクセスして、誤って変更したり削除したりするおそれがなく、所定情報の安全性を高めることができる。
【００１５】
請求項５に記載の電子機器装置は、請求項４に記載の電子機器装置において、前記接続された可搬型記憶装置に、前記情報記憶手段に記憶される所定情報を送信する所定情報送信手段と、前記接続された可搬型記憶装置に、前記所定情報送信手段によって送信される所定情報と対応付けて前記情報記憶手段に記憶される自装置の識別情報を送信する第２識別情報送信手段とを備えることを特徴としている。
【００１６】
この構成によれば、所定情報送信手段により、情報記憶手段に記憶される所定情報が、自装置に接続された可搬型記憶装置に送信され、第２識別情報送信手段により、所定情報送信手段によって送信される所定情報と対応付けて情報記憶手段に記憶される自装置の識別情報が、自装置に接続された可搬型記憶装置に送信される。
【００１７】
このように、所定情報送信手段により、情報記憶手段に記憶される所定情報が、自装置に接続された可搬型記憶装置に送信され、第２識別情報送信手段により、所定情報送信手段によって送信される所定情報と対応付けて情報記憶手段に記憶される自装置の識別情報が、自装置に接続された可搬型記憶装置に送信されるので、所定情報送信手段によって可搬型記憶装置に送信された所定情報は、自装置以外の装置によってアクセスされることがないので、所定情報が自装置以外の装置によって誤って変更されたり削除されたりするおそれがなく、所定情報の安全性を高めることができる。
【発明の効果】
【００１８】
請求項１に記載の可搬型記憶装置によれば、アクセスに使用される電子機器装置の識別情報に対応付けられ、かつ、外部から取得したユーザの生体情報と同一の個体を示す生体情報に対応付けられた所定情報についてのみアクセスが許可される。したがって、アクセスするユーザの生体情報と対応付けられていない、例えば、当該ユーザによって作成されたり所有されていない所定情報や、アクセスする電子機器装置の識別情報と対応付けられていない、例えば、当該電子機器装置による処理の対象とならない所定情報については、当該ユーザにより当該電子機器装置を使用してアクセスすることができないので、他人の所定情報や処理の対象とならない所定情報がアクセスされて、誤って変更されたり削除されたりするおそれがなく、所定情報の安全性を高めることができるという効果が得られる。
【００１９】
請求項２に記載の可搬型記憶装置によれば、自装置が接続された電子機器装置から取得された識別情報、外部から取得された生体情報、及び、識別情報が取得された電子機器装置から取得された所定情報を情報記憶手段に記憶することができる。したがって、電子機器装置から取得された所定情報は、外部から生体情報が取得されたユーザが、当該電子機器装置を使用してアクセスする場合以外にはアクセスできないので、他のユーザや他の電子機器装置によってアクセスされて誤って変更されたり削除されるおそれがなく、所定情報の安全性を高めることができるという効果が得られる。
【００２０】
請求項３に記載の可搬型記憶装置によれば、生体情報は指紋情報であるので、２つの生体情報が同一の個体を示すか否かを容易に判定できるので、第１生体情報取得手段によって取得された生体情報と同一の個体を示す生体情報に対応付けられた所定情報を容易に特定することができる。また、２つの生体情報が同一の個体を示すか否かの判定について高い精度が得られるという効果が得られる。
【００２１】
請求項４に記載の電子機器装置によれば、このように、他の装置によってアクセスが要求された際に、当該他の装置の識別情報に対応付けられ、かつ、外部から取得した生体情報と同一の個体を示す生体情報に対応付けられて情報記憶手段に記憶された所定情報について、他の装置によるアクセスを許可する可搬型記憶装置に対して、アクセス要求手段によって情報記憶手段へのアクセスが要求されるとともに、第１識別情報送信手段によって自装置の識別情報が送信されるので、自装置の識別情報に対応付けられ所定情報についてのみアクセスすることができる。したがって、アクセスする自装置の識別情報と対応付けられていない、例えば、自装置による処理の対象とならない所定情報については、自装置を使用してアクセスすることができないので、処理の対象とならない所定情報にアクセスして、誤って変更したり削除したりするおそれがなく、所定情報の安全性を高めることができるという効果が得られる。
【００２２】
請求項５に記載の電子機器装置によれば、所定情報送信手段により、情報記憶手段に記憶される所定情報が、自装置に接続された可搬型記憶装置に送信され、第２識別情報送信手段により、所定情報送信手段によって送信される所定情報と対応付けて情報記憶手段に記憶される自装置の識別情報が、自装置に接続された可搬型記憶装置に送信されるので、所定情報送信手段によって可搬型記憶装置に送信された所定情報は、自装置以外の装置によってアクセスされることがないので、所定情報が自装置以外の装置によって誤って変更されたり削除されたりするおそれがなく、所定情報の安全性を高めることができるという効果が得られる。
【発明を実施するための最良の形態】
【００２３】
以下、本発明の電子機器装置の一例としてのインターネットファクシミリ装置１と、本発明の可搬型記憶装置の一例としてのポータブル記憶装置２について、図面に基づいて説明する。インターネットファクシミリ装置１は、印刷機能、複写機能、ファクシミリ送信機能、電子メール送信機能等を備えている。インターネットファクシミリ装置１のユーザは、これらの機能を利用する上での設定をユーザ毎に行うことができ、自己の設定内容を示す設定情報（所定情報の一例。）をポータブル記憶装置２に記憶することができる。ポータブル記憶装置２は、ＵＳＢ（Universal Serial Bus）メモリのような記憶装置としての機能に加え、外部からユーザの指の指紋を読み取って指紋情報を生成する機能、及び、生成した指紋情報と自装置２が記憶している指紋情報とが同一の個体（ユーザ）を示す情報であるか否かを判定する機能を備えている。
【００２４】
ユーザのインターネットファクシミリ装置１についての設定情報は、インターネットファクシミリ装置１を識別することが可能な識別情報と、ポータブル記憶装置２によって当該ユーザの指を読み取って生成された指紋情報とに対応付けてポータブル記憶装置２に記憶される。
【００２５】
図１は、インターネットファクシミリ装置１の構成例を示したブロック図である。このインターネットファクシミリ装置１は、図１に示すように、制御部（ＭＰＵ：Microprocessing Unit）１１１、ＲＯＭ（Read Only Memory）１１２、ＲＡＭ（Random Access Memory）１１３、原稿読取部１１４、画像処理部１１５、コーデック（ＣＯＤＥＣ：Coder and Decoder）１１６、画像メモリ１１７、プリンタ１１８、操作部１１９、報知部１２０、ＦＡＸ通信部１２１、ＬＡＮ―Ｉ／Ｆ（Local Area Network Interface）１２２、及び、ＵＳＢホストコントローラ１２３を備えており、各部１１１乃至１２３は、バス１２４によって通信可能に接続されている。
【００２６】
制御部１１１は、ＲＯＭ１１２に記憶された制御プログラムに従ってインターネットファクシミリ装置１の各部の動作を制御する。ＲＯＭ１１２は、制御部１１１によりこのインターネットファクシミリ装置１の各部の動作を制御するための前記制御プログラム等を記憶するメモリである。ＲＡＭ１１３は、インターネットファクシミリ装置１の動作に用いる各種情報等を記憶するものである。
【００２７】
原稿読取部１１４は、原稿の画像を読み取って画像情報を生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００２８】
画像処理部１１５は、原稿読取部１１４から出力された画像情報に対して、色調整、色空間変換、２値化等の処理を行うものである。コーデック１１６は、画像処理部１１５によって処理された画像情報を符号化（エンコード）し、また、符号化されたされた画像情報を復号（デコード）するものである。コーデック１１６に入力された画像情報は、ＪＰＥＧ、ＭＨ、ＭＲ、ＭＭＲ、ＪＢＩＧ方式等に基づいて符号化され、画像メモリ１１７に記憶される。
【００２９】
プリンタ１１８は、画像メモリ１１７から読み出され、コーデック１１６によって復号された画像情報を印刷出力するものである。
【００３０】
操作部１１９は、図示しないが、原稿読取部１１４に原稿の読み取り動作の開始を指示するためのスタートキー、ファクシミリ番号やコピー部数等を入力するためのテンキー、操作対象を指定するためのカーソルキー等の他、自装置１に対して各種の設定を行うためのその他の入力キーを備えている。報知部１２０は、各種の設定状態や自装置１の動作状態等を文字や図形等で表示するタッチパネル式の液晶表示装置（ＬＣＤ：Liquid Crystal Display）や、点灯又は消灯で表示するＬＥＤランプ、所定の警告音を鳴動するスピーカ等を備えている。
【００３１】
ＦＡＸ通信部１２１は、原稿の画像情報をファクシミリ送受信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信情報の変調及び復調を行うものである。ＮＣＵは、電話回線を制御して電話をかけたり、切ったりする回線網制御装置であり、図示しないＰＳＴＮ（Public Switched Telephone Network）に接続される。ＰＳＴＮには、Ｇ３ファクシミリ装置等が通信可能に接続され、インターネットファクシミリ装置１は、Ｇ３ファクシミリ装置等との間で画像情報をファクシミリ送受信することが可能である。
【００３２】
ＬＡＮ−Ｉ／Ｆ１２２は、インターネットファクシミリ装置１を図示しないＬＡＮに接続可能にするものである。ＬＡＮには、パーソナルコンピュータ等が接続され、インターネットファクシミリ装置１はパーソナルコンピュータとの間で情報の通信が可能である。また、ＬＡＮにはルータも接続されており、インターネットファクシミリ装置１は、ルータを介してインターネットとも接続される。したがって、インターネットファクシミリ装置１は、インターネットに接続される他のインターネットファクシミリ装置との間でインターネットファクシミリ送信を行うことも可能である。
【００３３】
ＵＳＢホストコントローラ１２３は、ＵＳＢのホストコントローラ機能を実現するものである。ＵＳＢホストコントローラ１２３に設けられたＵＳＢポート１２３ａに、ＵＳＢケーブル３の一端が接続され、他端がポータブル記憶装置２のＵＳＢポート２１６ａに接続されることにより、インターネットファクシミリ装置１とポータブル記憶装置２とが通信可能に接続される。
【００３４】
図２は、ポータブル記憶装置２の構成例を示したブロック図である。このポータブル記憶装置２は、図２に示すように、制御部（ＭＰＵ）２１１、ＲＯＭ２１２、ＲＡＭ１１３、アクセス制御部２１４、指紋読取部２１５、及び、ＵＳＢ通信部２１６を備えており、各部２１１乃至２１６は、バス２１７によって通信可能に接続されている。
【００３５】
制御部２１１は、ＲＯＭ２１２に記憶された制御プログラムに従ってポータブル記憶装置２の各部の動作を制御する。ＲＯＭ２１２は、制御部２１１によりこのポータブル記憶装置２の各部の動作を制御するための前記制御プログラム等を記憶するメモリである。ＲＡＭ２１３は、ポータブル記憶装置２の動作に用いる各種情報等を記憶するものである。アクセス制御部２１４は、ＲＡＭ２１３に対するアクセスを制御するものであり、外部からのＲＡＭ２１３へのアクセスに対し、ＲＡＭ２１３に記憶している情報単位でアクセスを許可又は不許可にすることができる。
【００３６】
指紋読取部２１５は、ユーザの指の指紋の凹凸を読み取るセンサを備え、当該センサによって読み取った指紋の凹凸に対応した電子情報（指紋情報）を生成するものである。指紋の凹凸を読み取るセンサは、感熱式、半導体式、光学式等、どのような方式でもよく、既存のセンサを用いることができる。
【００３７】
ＵＳＢ通信部２１６は、ＵＳＢホストコントローラを備えた装置との間でＵＳＢ接続による通信を実現するためのものである。ＵＳＢ通信部２１６が備えるＵＳＢポート２１６ａに、ＵＳＢケーブル３の一端が接続され、他端がインターネットファクシミリ装置１のＵＳＢコントローラ１２３が備えるＵＳＢポート１２３ａに接続されることにより、ポータブル記憶装置２とインターネットファクシミリ装置１との間でＵＳＢ接続による通信が可能になる。
【００３８】
上述したようなインターネットファクシミリ装置１とポータブル記憶装置２とにおいては、ユーザのインターネットファクシミリ装置１についての設定情報をポータブル記憶装置２に記憶する際に、ポータブル記憶装置２によって当該ユーザの指の指紋を読み取って指紋情報が生成されるとともに、ユーザの設定情報とインターネットファクシミリ装置１を識別するための識別情報とがポータブル記憶装置２に送信される。そして、ポータブル記憶装置２は、ユーザの設定情報、ユーザの指紋情報、インターネットファクシミリ装置１の識別情報とを相互に対応付けて記憶する。
【００３９】
ユーザがインターネットファクシミリ装置１をはじめとする電子機器装置を使用してポータブル記憶装置２にアクセスする際には、ポータブル記憶装置２によって、当該ユーザの指紋情報が取得されるとともに、当該電子機器装置の識別情報が取得される。そして、ポータブル記憶装置２は、記憶している情報（設定情報を含む。）のうち、当該ユーザの指紋情報と同一の個体を示す指紋情報と、当該電子機器装置の識別情報と同一の識別情報とに対応付けられた情報のみに対してアクセスを許可する。
【００４０】
次に、図３を用いて、ユーザのインターネットファクシミリ装置１の設定情報をポータブル記憶装置２に登録（記憶）する場合に、インターネットファクシミリ装置１の制御部１１１が実行する処理と、ポータブル記憶装置２の制御部２１１が実行する処理との例を説明する。なお、制御部１１１と制御部２１１とは、互いに通信を行って連携して処理を実行するため、相手装置における処理を待つための待機が生じるが、図３では、説明の都合上、これらの待機の表記を省略する。また、図３に示す各処理の順序は図示するものに限定されるものではなく、処理の順序を変更しても本発明を実現できる場合には適宜に変更してもよい。さらに、ユーザは、インターネットファクシミリ装置１に対して、自分がインターネットファクシミリ装置１を使用する上での設定を行っており、このユーザの設定内容を示す設定情報がインターネットファクシミリ装置１のＲＡＭ１１３に記憶されているものとする。
【００４１】
まず、インターネットファクシミリ装置１の制御部１１１は、ユーザによって、当該ユーザのインターネットファクシミリ装置１についての設定情報をポータブル記憶装置２に登録（記憶）させる指示が行われたか否かを判断する（Ｓ１０１）。指示が行われていないと判断すると（Ｓ１０１：ＮＯ）、指示が行われるまで待機する。一方、指示が行われたと判断すると（Ｓ１０１：ＹＥＳ）、自装置１にポータブル記憶装置２が接続されているか否かを判断する（Ｓ１０２）。ポータブル記憶装置２が接続されていないと判断すると（Ｓ１０２：ＮＯ）、接続されるまで待機する。一方、ポータブル記憶装置２が接続されていると判断すると（Ｓ１０２：ＹＥＳ）、設定情報の登録の開始を指示する情報登録開始指示をポータブル記憶装置２に送信する（Ｓ１０３）。
【００４２】
ポータブル記憶装置２では、インターネットファクシミリ装置１から送信される情報登録開始指示を受信し（Ｓ２０１）、制御部２１１は、ポータブル記憶装置２を情報登録モードに移行させる（Ｓ２０２）。
【００４３】
インターネットファクシミリ装置１では、ステップ１０３（Ｓ１０３）において情報登録開始指示を送信した後、ＲＡＭ１１３に記憶されているユーザの設定情報をポータブル記憶装置２に送信し（Ｓ１０４）、さらに、ＲＯＭ１１２に記憶されている自装置１の識別情報をポータブル記憶装置２に送信する（Ｓ１０５）。
【００４４】
ポータブル記憶装置２では、インターネットファクシミリ装置１から送信される設定情報（登録情報）を受信し（Ｓ２０３）、さらに、識別情報を受信する（Ｓ２０４）。そして、ユーザの指から指紋情報を取得するための準備を行い、準備が整うと、ユーザの指から指紋情報を取得する準備ができたことを示す、指紋情報取得開始報告をインターネットファクシミリ装置１に送信する（Ｓ２０５）。
【００４５】
インターネットファクシミリ装置１では、ポータブル記憶装置２から送信された指紋情報取得開始報告を受信すると（Ｓ１０６）、ユーザに対してポータブル記憶装置２の指紋読取部２１５への指の指紋の入力を促すメッセージを、インターネットファクシミリ装置１の報知部１２０が備える液晶表示装置に表示する（Ｓ１０７）。
【００４６】
ユーザは、液晶表示装置に表示されたメッセージに促されて、ポータブル記憶装置２の指紋読取部２１５に指をあてがい、指の指紋を入力する。
【００４７】
ポータブル記憶装置２では、指紋読取部２１５によってユーザの指の指紋を読み取ることにより、ユーザの指紋情報を外部から取得する（Ｓ２０６）。そして、ステップ２０３（Ｓ２０３）において受信した登録情報である設定情報と、ステップ２０４（Ｓ２０４）において受信した識別情報と、ステップＳ２０６（Ｓ２０６）において取得した指紋情報とを相互に対応付けてＲＡＭ２１３に記憶し（Ｓ２０７）、情報登録モードを終了する（Ｓ２０８）。
【００４８】
このように、ユーザのインターネットファクシミリ装置１についての設定情報は、インターネットファクシミリ装置１の識別情報と、当該ユーザの指紋情報とに対応つけてポータブル記憶装置２に記憶される。このようにしてポータブル記憶装置２に登録された設定情報にアクセスする際には、設定情報に対応付けられた指紋情報と、アクセスしようとするユーザの指紋情報とを使用してユーザの認証が行われ、ユーザが認証された場合にのみ当該設定情報へのアクセスが許可される。つまり、設定情報は「指紋認証によって保護」される。なお、ポータブル記憶装置２には、指紋認証によって保護された情報の他に、指紋認証によって保護されない情報も記憶することができる。
【００４９】
上述の実施形態においては、インターネットファクシミリ装置１の主導のもと処理が進められた。つまり、インターネットファクシミリ装置１からの情報登録開始指示によってポータブル記憶装置２が情報登録モードに移行し、設定情報の登録処理が開始された。しかし、ポータブル記憶装置２が操作ボタン等を備える構成である場合には、ポータブル記憶装置２に対するユーザの操作ボタン等への操作に応じて情報登録モードに移行し、設定情報の登録処理を開始して設定情報や識別情報の送信をポータブル記憶装置２側からインターネットファクシミリ装置１に対して要求するようにしてもよい。また、上述したような処理によってポータブル記憶装置２に所定の情報（上述の例では、設定情報。）を登録する装置は、インターネットファクシミリ装置１に限らず、パーソナルコンピュータ等、その他の装置であってもよい。
【００５０】
次に、図４を用いて、インターネットファクシミリ装置１をはじめとする電子機器装置がポータブル記憶装置２にアクセスする場合に、インターネットファクシミリ装置１をはじめとする電子機器装置の制御部１１１が実行する処理と、ポータブル記憶装置２の制御部２１１が実行する処理との例を説明する。なお、制御部１１１と制御部２１１とは、互いに通信を行って連携して処理を実行するため、相手装置における処理を待つための待機が生じるが、図４では、説明の都合上、これらの待機の表記を省略する。また、図４に示す各処理の順序は図示するものに限定されるものではなく、処理の順序を変更しても本発明を実現できる場合には適宜に変更してもよい。さらに、インターネットファクシミリ装置１には、ポータブル記憶装置２が接続されているものとして説明する。
【００５１】
ユーザが、例えば、インターネットファクシミリ装置１の操作部１１９を操作して、インターネットファクシミリ装置１の設定情報をポータブル記憶装置２から読み出す指示を行うと、制御部１１１は、アクセス要求をポータブル記憶装置２に送信する（Ｓ３０１）。インターネットファクシミリ装置１が設定情報を読み出すためのアクセス要求を例としたが、このアクセス要求は、この例の他に、ユーザがパーソナルコンピュータ等にポータブル記憶装置２を接続し、パーソナルコンピュータ等からポータブル記憶装置２のＲＡＭ２１３に記憶されている情報の一覧を取得しようとする場合等のアクセス要求であってもよい。以下の説明においては、インターネットファクシミリ装置１によって設定情報が読み出される場合に限定せず、インターネットファクシミリ装置やパーソナルコンピュータ等を含む電子機器装置１がポータブル記憶装置２にアクセスする場合について説明する。
【００５２】
ポータブル記憶装置２では、電子機器装置１からのアクセス要求を受信すると（Ｓ４０１）、電子機器装置１の識別情報の送信を要求する識別情報要求を電子機器装置１に送信する（Ｓ４０２）。
【００５３】
電子機器装置１では、ポータブル記憶装置２からの識別情報要求を受信すると（Ｓ３０２）、ＲＯＭ１１２に記憶している自装置１の識別情報をポータブル記憶装置２に送信する（Ｓ３０３）。
【００５４】
ポータブル記憶装置２では、自装置２が接続された電子機器装置１の識別情報を受信したか否か、つまり、電子機器装置１から識別情報が送信されたか否かを判断する（Ｓ４０３）。識別情報を受信していないと判断すると（Ｓ４０３：ＮＯ）、ステップ４０２（Ｓ４０２）において識別情報要求を送信してから所定の時間が経過したか否かを判断する（Ｓ４０４）。所定の時間が経過していない判断すると（Ｓ４０４：ＮＯ）、ステップ４０３に戻る。一方、所定の時間が経過したと判断すると（Ｓ４０４：ＹＥＳ）、自装置２が接続された電子機器装置１から識別情報が送信されることはない、つまり、電子機器装置１は識別情報の送信処理に対応していないと判断し、ポータブル記憶装置２のＲＡＭ２１３に記憶されている情報のうち、指紋認証によって保護されているすべての情報に対するアクセスを不許可とする（Ｓ４１０）。そして、指紋認証によって保護されているすべての情報に対するアクセスを不許可とした上で、アクセス要求に応じた情報を電子機器装置１に送信する（Ｓ４１１）。ステップ３０１におけるアクセス要求が、パーソナルコンピュータである電子機器装置１によるポータブル記憶装置２（ＲＡＭ２１３）に記憶されている情報の一覧を参照するアクセス要求である場合には、ポータブル記憶装置２のＲＡＭ２１３に記憶されている情報のうち、指紋認証によって保護されている情報以外の情報の一覧を示す情報（アクセス要求に応じた情報）が電子機器装置１に送信される。
【００５５】
電子機器装置１は、このアクセス要求に応じた情報を受信する（Ｓ３０６）。ユーザは、ポータブル記憶装置２から受信した、アクセス要求に応じた情報を液晶表示装置に表示することによって、ポータブル記憶装置２に記憶されている情報の一覧を閲覧することができる。しかし、指紋認証によって保護されているインターネットファクシミリ装置１の設定情報等はこの一覧には表示されない。したがって、パーソナルコンピュータ等の電子機器装置１のユーザにとっては、指紋認証によって保護されている情報は、ポータブル記憶装置２に存在しないに等しいので、電子機器装置１のユーザによって、指紋認証によって保護されたインターネットファクシミリ装置１の設定情報等が不用意に操作され、誤って変更されたり削除されたりするおそれがない。
【００５６】
一方、電子機器装置１から識別情報を受信したと判断すると（Ｓ４０３：ＹＥＳ）、受信した識別情報と同一の識別情報に対応付けられた情報がＲＡＭ２１３に記憶されているか否かを判断する（Ｓ４０５）。以下、電子機器装置１から取得した識別情報と同一の識別情報に対応付けられてＲＡＭ２１３に記憶されている情報を「特定情報」と呼ぶ。特定情報がＲＡＭ２１３に記憶されていないと判断すると（Ｓ４０５：ＮＯ）、当該電子機器装置１を使用して登録された情報はＲＡＭ２１３には存在しないと判断し、ポータブル記憶装置２のＲＡＭ２１３に記憶されている情報のうち、指紋認証によって保護されているすべての情報に対するアクセスを不許可とする（Ｓ４１０）。そして、指紋認証によって保護されているすべての情報に対するアクセスを不許可とした上で、アクセス要求に応じた情報を電子機器装置１に送信する（Ｓ４１１）。
【００５７】
一方、特定情報がＲＡＭ２１３に記憶されていると判断すると（Ｓ４０５：ＹＥＳ）、電子機器装置１のユーザの指から指紋情報を取得するための準備を行い、準備ができると、指紋情報を取得する準備ができたことを示す、指紋情報取得開始報告を電子機器装置１に送信する（Ｓ４０６）
【００５８】
電子機器装置１では、ポータブル記憶装置２から送信された指紋情報取得開始報告を受信し（Ｓ３０４）、ユーザに対してポータブル記憶装置２の指紋読取部２１５への指の指紋の入力を促すメッセージを、電子機器装置１の報知部１２０が備える液晶表示装置に表示する（Ｓ３０５）。
【００５９】
ユーザは、液晶表示装置に表示されたメッセージに促されて、ポータブル記憶装置２の指紋読取部２１５に指をあてがい、指の指紋を入力する。。
【００６０】
ポータブル記憶装置２では、指紋読取部２１５によってユーザの指の指紋を読み取ることにより、ユーザの指紋情報を外部から取得する（Ｓ４０７）。そして、外部から取得したユーザの指紋情報と、特定情報に対応付けられた指紋情報とが同一の個体（ユーザ）を示すか否かを判定する（Ｓ４０８）。つまり、外部から取得した指紋情報が示す指紋パターンと、特定情報に対応付けられた指紋情報が示す指紋パターンとが同一であるか否かを判定する。以下、特定情報のうち、対応付けられた指紋情報が示す指紋パターンが、外部から取得したユーザの指紋情報が示す指紋パターンと同一であるものを「認証済情報」と呼ぶ。
【００６１】
次に、ステップ４０８（Ｓ４０８）における判定の結果、特定情報の中に認証済情報が存在したか否かを判断する（Ｓ４０９）。認証済情報が存在しなかったと判断すると（Ｓ４０９：ＮＯ）、当該ユーザによって、当該電子機器装置１を使用して登録された情報は、ＲＡＭ２１３に記憶されていないと判断し、ポータブル記憶装置２のＲＡＭ２１３に記憶されている情報のうち、指紋認証によって保護されているすべての情報に対するアクセスを不許可とする（Ｓ４１０）。そして、指紋認証によって保護されているすべての情報に対するアクセスを不許可とした上で、アクセス要求に応じた情報を電子機器装置１に送信する（Ｓ４１１）。
【００６２】
一方、特定情報の中に認証済情報が存在したと判断すると（Ｓ４０９：ＹＥＳ）、認証済情報に対する当該電子機器装置１によるアクセスを許可する（Ｓ４１２）。そして、ＲＡＭ２１３に記憶されている情報のうち、指紋認証によって保護されていない情報と、指紋認証によって保護されている情報のうちの認証済情報に対するアクセスを許可した上で、アクセス要求に応じた情報を電子機器装置１に送信する（Ｓ４１３）。
【００６３】
電子機器装置１がインターネットファクシミリ装置１であり、ステップ３０１（Ｓ３０１）におけるアクセス要求が、ポータブル記憶装置２のＲＡＭ２１３に記憶されたインターネットファクシミリ装置１の設定情報の読み出しである場合には、ステップ４１３では、認証済情報としての設定情報が電子機器装置１に送信される。電子機器装置１では、ステップ３０６（Ｓ３０６）において、この設定情報を受信し、受信した設定情報に基づいて電子機器装置（インターネットファクシミリ装置）１の設定を行う。
【００６４】
電子機器装置１がパーソナルコンピュータ等であり、ステップ３０１（Ｓ３０１）におけるアクセス要求が、ポータブル記憶装置２のＲＡＭ２１３に記憶された情報の一覧を取得する要求である場合には、ＲＡＭ２１３に記憶されている情報のうち、指紋認証によって保護されていない情報と、指紋認証によって保護されている情報のうちの認証済情報との一覧を示す情報が電子機器装置１に送信される。電子機器装置１では、ステップ３０６（Ｓ３０６）において、この設定情報を受信し、ユーザは、報知部１２０が備える液晶表示装置に表示された、これらの情報の一覧を閲覧することができる。ユーザは、指紋認証によって保護されていない情報と、指紋認証によって保護されている情報のうちの認証済情報とについては、情報の編集（変更）や削除を自由に行うことができる。
【００６５】
認証済情報へのアクセスの許可は、ポータブル記憶装置２が電子機器装置１から取りはずされた場合や、一定の時間、ポータブル記憶装置２へのアクセスがされなかった場合に解除される。
【００６６】
このように、電子機器装置１によってアクセスした場合、ポータブル記憶装置２に記憶されている情報のうち、指紋認証によって保護されている情報については、当該情報に対応付けられている識別情報が、アクセスしようとしている電子機器装置１の識別情報と同一であり、かつ、アクセスしようとしている電子機器装置１のユーザの指紋の指紋情報が示す指紋パターンと、当該情報に対応付けられている指紋情報が示す指紋パターンとが同一である情報についてのみアクセスが許可される。
【００６７】
以上に説明したように、本発明の実施形態に係るインターネットファクシミリ装置（電子機器装置）１とポータブル記憶装置２とによれば、インターネットファクシミリ装置１の設定情報をポータブル記憶装置２に記憶する際には、インターネットファクシミリ装置１の識別情報と、ポータブル記憶装置２によって取得した、設定情報を使用するインターネットファクシミリ装置１のユーザの指紋情報と、設定情報とを相互に対応付けて記憶する。
【００６８】
ポータブル記憶装置２にアクセスする際には、アクセスする電子機器装置（インターネットファクシミリ装置）１から識別情報を取得するとともに、電子機器装置１のユーザの指紋情報を取得する。そして、アクセスを要求する電子機器装置１に対して、当該電子機器装置１の識別情報と、取得したユーザの指紋情報と同一の個体を示す指紋情報とに対応付けられている所定情報（設定情報）についてのみアクセスを許可する。
【００６９】
このように、アクセスに使用する電子機器装置１の識別情報、及び、アクセスしようとするユーザの指紋情報と同一の個体を示す指紋情報に対応付けられていない所定情報についてはアクセスすることができないので、当該電子機器装置１の識別情報に対応付けられていない所定情報、つまり、当該電子機器装置１を使用してポータブル記憶装置２に記憶されていない所定情報や当該電子機器装置１による処理の対象とならない所定情報がアクセスされることがない。また、当該ユーザの指紋情報と同一の個体を示す指紋情報に対応付けられていない所定情報、つまり、当該ユーザによって作成されていなかったり、当該ユーザが所有していない所定情報がアクセスされることがない。したがって、所定情報が、不用意にアクセスされて誤って変更されたり削除されたりするおそれがないので、所定情報の安全性を高めることができる。
【００７０】
なお、本発明の実施形態は上述の形態に限らず、種々に変更してもよく、例えば、上述の実施形態においては、生体情報として指紋情報を採用したが、生体情報は指紋情報に限らず、虹彩情報、声紋情報、静脈情報等であってもよい。
【００７１】
また、上述の実施形態では、ポータブル記憶装置２において、識別情報と指紋情報とに対応付けて記憶される所定情報として、インターネットファクシミリ装置１の設定情報を例に挙げたが、所定情報はこの設定情報に限らず、どのような情報であってもよい。
【産業上の利用可能性】
【００７２】
本発明は、例えば、生体情報を使用してユーザの認証処理を行って情報へのアクセスを許可する装置に適用可能である。
【図面の簡単な説明】
【００７３】
【図１】本発明に係る電子機器装置の一例としてのインターネットファクシミリ装置の構成例を示すブロック図である。
【図２】本発明に係る可搬型記憶装置の一例としてのポータブル記憶装置の構成例を示すブロック図である。
【図３】インターネットファクシミリ装置の設定情報を登録する際に、インターネットファクシミリ装置及びポータブル記憶装置において実行される処理の一例を示すフローチャートである。
【図４】ポータブル記憶装置にアクセスする際に、インターネットファクシミリ装置をはじめとする電子機器装置及びポータブル記憶装置において実行される処理の一例を示すフローチャートである。
【符号の説明】
【００７４】
１      インターネットファクシミリ装置（電子機器装置）
１１１  制御部
１１３  ＲＡＭ
１１９  操作部
１２０  報知部
２      ポータブル記憶装置（可搬型記憶装置）
２１１  制御部
２１３  ＲＡＭ
２１５  指紋読取部
【図１】
2007241953.tif 000003
【図２】
2007241953.tif 000004
【図３】
2007241953.tif 000005
【図４】
2007241953.tif 000006